(57)【要約】  特にビデオ撮影のための一脚支持体（１）が、基部（３）と、ビデオ−写真装置のための取着部（４）とを夫々長軸方向の対向した両端部に備えたロッド（２）を有する。前記ロッドは、このロッドの実質的な長軸を中心として、前記基部に対して回転可能である。粘性カップリングを有するタイプの少なくとも１つの衝撃吸収部材（１２）が、前記ロッドの軸を中心として、前記基部に対して、このロッドの回転運動から生じる振動を減少させるために、この基部（３）とロッド（２）との間に介在されている。
2009510857.tif 000002
【特許請求の範囲】
【請求項１】
基部（３）と、ビデオ−写真装置のための取着部（４）とが長軸方向の対向した両端部に夫々設けられたロッド（２）を有し、特にビデオ撮影のための一脚支持体（１）において、
前記ロッド（２）は、このロッドの実質的な長軸を中心として、前記基部（３）に対して回転可能であり、
粘性カップリングを有するタイプの少なくとも１つの衝撃吸収部材（１２）が、前記ロッドの長軸を中心として前記基部に対するこのロッドの回転運動から生じる振動を減少させるために、これら基部とロッドとの間に介在されていることを特徴とする一脚支持体（１）。
【請求項２】
前記衝撃吸収部材は、前記基部と前記ロッドとの間に、粘性流体が収容されているギャップ（１５ａ）を有する請求項１の一脚支持体。
【請求項３】
前記ギャップ（１５ａ）は、
前記基部に固定するように結合されているビーカー形状部分（１４）と、
前記ロッドに固定するように結合され、前記ビーカー形状部分に同軸的に収容され、また、シール手段によって漏れないように封止されているスリーブ（１５）との間に規定されている請求項２の一脚支持体。
【請求項４】
前記基部（３）は、前記ロッドの長軸に対して横方向に延びている少なくとも１つの付属物（７）を有する請求項１の一脚支持体。
【請求項５】
前記基部は、三脚台を形成するように配置されている少なくとも３つの付属物（７）を有する請求項４の一脚支持体。
【請求項６】
前記付属物の各々は、前記基部のクロス部分（６）に、枢動可能に関節結合されている請求項５の一脚支持体。
【請求項７】
関節部（１２）が、前記基部と前記ロッドとの間に設けられている請求項１の一脚支持体。
【請求項８】
前記関節部は、ボールジョイントのタイプである請求項７の一脚支持体。
【請求項９】
さらなる関節部（１８、１９）が、少なくとも１つのロッド部材の隣り合う部分（１６、１７）間に設けられ、前記ロッドの長軸と直交した軸の周りに、互いにこれら部分が枢動可能である少なくとも前記全ての請求項のいずれか１の一脚支持体。
【請求項１０】
前記さらなる関節部は、複数の関節部材（１８、１９）を有し、
これら関節部材間に、所定の相対位置にこれら関節部材を弾性的に付勢する少なくとも１つの釣合ばね（２０）を有する請求項９の一脚支持体。
【請求項１１】
粘性カップリング（２１）を有する少なくとも１つの衝撃吸収部材が、前記関節部材間に介在されている請求項９もしくは１０の一脚支持体。
【発明の詳細な説明】
【技術分野】
【０００１】
この発明は、特にビデオ撮影のために、手動撮影に特有の振動を実質的に減少させるように構成された一脚支持体に関する。
【背景技術】
【０００２】
手に持ったビデオカメラ等、手に乗るものを用いて撮影が行われるとき、この撮影は３次元空間の３つの軸方向で振動を受けやすい。この理由に対して、このような振動を最小限にすることによって撮影の品質を改善するための種々の支持体の使用が強く勧められている。これら支持体のうち、三脚形態を有するものは、画像の安定性に対して最良の保証をする。しかし、このような三脚支持体は、非常にかさばりかつ重いという避けられない欠点を有する。一方、実質的に入れ子式で調整でき、撮影装置がロッドのトップに装着され、また、ロッドの反対側の端部が地面に置かれるいわゆる一脚支持体では、大きさと重さとがより適切である。前記ロッドの軸と、対物レンズの光軸とを含む垂直な平面での振動の角度は、最小にされる。なぜならば、この角度は、前記一脚支持体が地面に置かれている点（基部）での、前記装置から離れている前記振動の支点に関連するからである。これにより、対応するこれら軸の周りの前記振動を劇的に減少させることができる。
【０００３】
一方、前記一脚支持体のロッドを中心とする、いわゆるパノラマ軸（ｐａｎｏｒａｍｉｃ  ａｘｉｓ）に対する振動運動は、実質的に変化しない。上記議論の厄介な振動は、それゆえこの運動でも残っている。この理由から、一脚支持体は、静止写真撮影の分野ではある範囲で用いられてきているが、ビデオ撮影の分野では成功を収めてきていない。
【発明の開示】
【０００４】
この発明の目的は、上記従来技術に関連して説明された全ての欠点を回避するように、構造的かつ機能的に構成された一脚支持体を提供することである。
【０００５】
この目的は、請求項に従って構成された一脚支持体の発明によって達成される。
【発明を実施するための最良の形態】
【０００６】
図１で、１は、特にビデオ撮影のための一脚支持体を一般的に示す。この一脚支持体１は、複数のロッド部材２ａ、２ｂ、２ｃ並びに２ｄによって形成された入れ子式ロッド２を有する。これらロッド部材は、一方が他方の内部へ入れ子式にスライドでき、また、前記ロッド２の長さを好ましいように変えるような方法で、互いに関連して、ロッド自身を既知の方法でロックできる。基部３と、ビデオ−写真装置５のための取着部４とが、前記ロッド２の長軸の対向した両端部に夫々設けられている。前記基部３は、支持体を地面に支えるように機能する。この基部３は、クロス部分６を有し、このクロス部分６から少なくとも１つの、好ましくは３つの付属物７が延びている。これら付属物７は、夫々のピン８を中心として枢動され、外すことができる方法で使用位置に一時的にスナップロックされることができるように、前記クロス部分と関節結合されている。これら付属物７は、前記クロス部分に対して実質的に径方向に延びており、前記付属物７のステムの一部分が切り抜かれた弾力舌９と、前記クロス部分６の対応する凹部１１ａ、１１ｂでスナップ係合する弾力舌９の端部のピン１０とを有するこれら付属物７によって、三脚台を形成、もしくは前記ロッド２に隣接した収容位置にすることができる。単一の付属物の場合であっても、単に地面に置かれているときよりも安定な前記一脚支持体の足場を得るために、前記付属物７を足で押圧することによって、この一脚支持体を地面に固定させることができる。
【０００７】
前記基部３は、ボールジョイント１３を備えた関節部１２をさらに有する。この関節部は、前記クロス部分６と前記ロッド２との間に介在され、この間接部によって、このロッド２は基部３に対する方向付けがなされ得る。前記ボールジョイント１３は、前記ロッド２の下端がスリーブ１５の挿入部に係合されているビーカー形状部分１４と、シャンクによって接続されている。ギャップ１５ａが、前記ビーカー形状部分１４とスリーブ１５との間に形成されている。このギャップ１５ａは、前記スリーブ１５と同軸であり、また、Ｏリングシール１５ｂによって漏れないように封止されている。このギャップ１５ａは、例えば、Ｃａｒｔｏｎｉの名前で米国特許第４，８９９，８５４号に記載されているような、粘性カップリングを有する衝撃吸収部材を形成するために、粘性流体で満たされている。前記粘性流体が前記ギャップ１５ａ中に保持されていることによって、この衝撃吸収部材は、前記ビーカー形状部分に対する前記スリーブ１５の回転は、関連する振動現象に付随する緩衝を備えた前記粘性流体の運動（ｅｎｔｒａｉｎｍｅｎｔ）を伴うことを保証する。粘性流体タイプの衝撃吸収部材が好ましいと見なされているが、摩擦衝撃吸収剤、または他のタイプの衝撃吸収剤によって取って代えられることができる。
【０００８】
前記全てのロッド部材２ａないし２ｄは、堅く曲がらないものであると考えられる。しかし、関節の介在部を備えた２つの部分１６、１７で関節結合される前記第１のロッド部材２ａもまた与えられる。前記関節の介在部には、前記ロッド２の横方向の軸を中心として枢動できるように、第１のフォーク形状部材１８が、第２の関節部材１９に関節結合されている。これら関節部材１８、１９の間に挿入されるものは、前記フォーク形状部材の一方の側には釣合ばね２０であり、２つの関節部材を相対位置に維持する結果、前記ロッド部材２ａの２つの部分１６、１７は、実質的に互いに直線状に位置する。また、前記フォーク形状部材の他方の側に挿入されるものは、粘性カップリング２１であり、前記関節部材の相対的な枢動に対するあらゆる揺動と振動、またはこれらのいずれかに対するダンパとして機能する。前記粘性カップリングは、これ自体が知られており、米国特許第４，８９９，８５４号に記載されたタイプである。
【０００９】
使用の際、この一脚支持体は、前記取着部４に適合するビデオカメラと共に、また、３つの前記付属物７の全てが、前記クロス部分６に関して径方向に延びるように基部を開くと共に、好ましい長さに延ばされる。
【００１０】
上側と下側とに傾ける位置や運動、また、前記基部に対する前記ロッドの横方向の振動もまた、動きに対する前記ボールジョイント接合の能力によって許容される。これら運動は、上記のように、振動の中心と前記ビデオカメラとの間の距離によってはっきりと感知できる振動現象に屈することがない。また、これら運動は、この一脚体が傾斜した地面に置かれていて垂直位置を探しているとき、必ず起こる。
【００１１】
しかし、前記ロッド２の前記長軸と実質的に同時に起こる、いわゆるパノラマ軸（ｐａｎｏｒａｍｉｃ  ａｘｉｓ）を中心とする回転運動は、粘性カップリングを有する前記衝撃吸収部材によって減少される。この衝撃吸収部材は、前記ロッドと前記基部との間に介在されるが、これらの間の摩擦は、前記ボールジョイント接合による抵抗よりも小さい。結果として、たとえ支持体が一脚体タイプのものでも、３つの軸で示される前記ビデオカメラの運動は、はっきりと感知できる振動の影響を与えない。
【００１２】
この発明のさらなる利点は、かさばらないことと、重さが適切であることと、位置を定めるのが容易であることと、安定性とを含み、この一脚体の前記基部の付属物の存在によってさらに改良される。
【００１３】
この発明の特徴と利点とが、好ましい詳細な記述からより明らかになる。限定的ではない実施の形態が、添付図面を参照して限定的でない例によって示される。
【図面の簡単な説明】
【００１４】
【図１】図１は、この発明に係る一脚支持体の斜視図である。
【図２】図２は、図１の支持体の詳細の長軸方向の断面図である。
【図３】図３は、前記図１並びに図２の支持体の詳細の概略断面図である。
【図１】
2009510857.tif 000003
【図２】
2009510857.tif 000004
【図３】
2009510857.tif 000005
【国際調査報告】
2009510857.tif 000006
2009510857.tif 000007
2009510857.tif 000008